【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
第１のビデオデータストリームのピクセルデータと、前記第１のビデオデータストリームのクロックとを受信するバッファと、
前記第１のビデオデータストリームのピクセルデータを第２のビデオデータストリームのピクセルデータと結合することによって統合データストリームを生成し、かつ、前記第１のビデオデータストリームの前記ピクセルデータと前記第２のビデオデータストリームの前記ピクセルデータとを結合する際、前記第２のビデオデータストリームの繰り返しピクセルを除去するマルチプレクサとを備え、前記第１のビデオデータストリームの前記ピクセルデータと前記第２のビデオデータストリームの前記ピクセルデータは前記統合データストリーム内で交互に入れ替わっており、
前記統合データストリームは、前記第１のビデオデータストリームの前記ピクセルデータと前記第２のビデオデータストリームの前記ピクセルデータをフレームライン内に含み、かつ、前記統合データストリームは制御構造データを含み、
前記統合データストリームの前記制御構造データは、前記フレームラインにおける前記第１のビデオデータストリームの前記ピクセルデータの少なくとも１つの第１の位置の識別情報と、前記フレームラインにおける前記第２のビデオデータストリームの前記ピクセルデータの少なくとも１つの第２の位置の識別情報と、を含む装置。
【請求項２】
前記統合データストリームの前記制御構造データは、ＩｎｆｏＦｒａｍｅを含む請求項１に記載の装置。
【請求項３】
前記第１のビデオデータストリームと前記第２のビデオデータストリームは、保護周波数又はプリアンブルを繰り返すことなく、前記統合データストリームへと結合される請求項１に記載の装置。
【請求項４】
前記マルチプレクサは、前記統合データストリームを生成するために前記第１のビデオデータストリームの前記ピクセルデータを前記第２のビデオデータストリームの前記ピクセルデータと結合する際、前記第１のビデオデータストリームの繰り返しピクセルを除去することによって、前記第１のビデオデータストリームの前記ピクセルデータを取得する請求項１に記載の装置。
【請求項５】
前記第２のビデオデータストリームから、前記第２のビデオデータストリームの前記ピクセルデータと、前記第２のビデオデータストリームのクロックとを抽出する抽出要素をさらに備える請求項１に記載の装置。
【請求項６】
前記バッファは、前記第２のビデオデータストリームの前記クロックに基づき、前記第１のビデオデータストリームの前記ピクセルデータのリタイミングを行う請求項５に記載の装置。
【請求項７】
前記第１のビデオデータストリームを前記第２のビデオデータストリームと互換性を有するように再フォーマットするフォーマッタをさらに備える請求項１に記載の装置。
【請求項８】
前記第１のビデオデータストリームのフォーマット化には、前記第２のビデオデータストリームのデータアイランドデータ用のスペースを生成するための、前記第１のビデオデータストリームのデータアイランドデータのシフトが含まれる請求項７に記載の装置。
【請求項９】
前記バッファは、Ｆｉｒｓｔ  Ｉｎ  Ｆｉｒｓｔ  Ｏｕｔ（ＦＩＦＯ）メモリバッファである請求項１に記載の装置。
【請求項１０】
前記第１のビデオデータストリームは、第１カメラからのビデオを含み、前記第２のビデオデータストリームは、第２カメラからのビデオを含む請求項１に記載の装置。
【請求項１１】
前記装置は、監視システムの少なくとも一部である請求項１０に記載の装置。
【請求項１２】
前記装置は、ビデオスイッチの少なくとも一部であり、前記ビデオスイッチは、単一のラインを通じて伝送するため、複数のビデオデータストリームを前記統合データストリームに結合する請求項１に記載の装置。
【請求項１３】
前記ビデオスイッチは、ビデオデータストリームの受信先又は前記ビデオデータストリームの発信元の識別に基づき、前記統合データストリームのプリアンブルコードを選択する請求項１２に記載の装置。
【請求項１４】
バッファに、第１のビデオデータストリームのピクセルデータ及びクロックを記憶するステップと、
第２のビデオデータストリームの繰り返しピクセルを除去するステップと、
前記第１のビデオデータストリームの前記ピクセルデータを前記第２のビデオデータストリームの前記ピクセルデータと結合することにより、統合データストリームを生成するステップとを備え、前記統合データストリームは制御構造データを有し、
前記第１のビデオデータストリームの前記ピクセルデータと前記第２のビデオデータストリームの前記ピクセルデータは前記統合データストリーム内で交互に入れ替わっており、
前記第１のビデオデータストリームの前記ピクセルデータと前記第２のビデオデータストリームの前記ピクセルデータは、フレームラインに配置されており、
前記統合データストリームの前記制御構造データが、前記フレームラインにおける前記第１のビデオデータストリームの前記ピクセルデータの少なくとも１つの第１の位置の識別情報と、前記フレームラインにおける前記第２のビデオデータストリームの前記ピクセルデータの少なくとも１つの第２の位置の識別情報と、を含む方法。
【請求項１５】
前記統合データストリームは、プリアンブル又は保護周波数帯を繰り返すことなく、前記第１のビデオデータストリームと前記第２のビデオデータストリームとを結合する請求項１４に記載の方法。
【請求項１６】
前記第２のビデオデータストリームから、前記第２のビデオデータストリームの前記ピクセルデータと前記第２のビデオデータストリームのクロックとを抽出するステップをさらに含む請求項１４に記載の方法。
【請求項１７】
前記第２のビデオデータストリームの前記クロックに基づき、前記第１のビデオデータストリームの前記ピクセルデータのリタイミングを行うステップをさらに含む請求項１６に記載の方法。
【請求項１８】
前記第１のビデオデータストリームを、前記第２のビデオデータストリームと互換性を有するように再フォーマットするステップをさらに含む請求項１４に記載の方法。
【請求項１９】
前記第１のビデオデータストリームのフォーマット化には、前記第２のビデオデータストリームのデータアイランドデータ用のスペースを生成するため、前記第１のビデオデータストリームのデータアイランドデータをシフトするステップが含まれる請求項１８に記載の方法。
【請求項２０】
前記バッファは、Ｆｉｒｓｔ  Ｉｎ  Ｆｉｒｓｔ  Ｏｕｔ（ＦＩＦＯ）メモリバッファである請求項１４に記載の方法。
【請求項２１】
統合データストリームを受信する受信機であって、前記統合データストリームはフレームライン内の複数のビデオデータストリームのピクセルデータと制御構造データとを含み、前記複数のビデオデータストリームの各々の前記ピクセルデータは前記統合データストリーム内で交互に入れ替わっており、前記統合データストリームの制御構造データは前記フレームラインにおける前記複数のビデオデータストリームの各々の前記ピクセルデータの少なくとも１つの位置の識別情報を含む、前記受信機と、
前記フレームラインにおける前記複数のビデオデータストリームの各々の前記ピクセルデータの前記少なくとも１つの位置の前記識別情報に少なくとも部分的に基づいて、前記統合データストリームを前記複数のビデオデータストリームに分割するプロセッサと、
を備える装置。
【請求項２２】
前記統合データストリームの前記制御構造データには、ＩｎｆｏＦｒａｍｅが含まれる請求項２１に記載の装置。
【請求項２３】
前記統合データストリームは、保護周波数帯又はプリアンブルを繰り返すことなく、前記複数のビデオデータストリームを統合する請求項２１に記載の装置。
【請求項２４】
前記統合データストリームの前記制御構造データは、前記フレームライン内の前記少なくとも１つの位置にゼロまたはヌル値を含む請求項２１に記載の装置。
【請求項２５】
前記プロセッサは、前記フレームラインのゼロまたはヌル値を無視する請求項２４に記載の装置。
【請求項２６】
前記プロセッサは、前記統合データストリームのデータアイランドを前記複数のビデオデータストリームに分割する請求項２１に記載の装置。
【請求項２７】
前記装置は、前記複数のビデオデータストリームを複数の個別のビデオモニターに提供する請求項２１に記載の装置。
【請求項２８】
統合データストリームを受信するステップであって、前記統合データストリームはフレームライン内の複数のビデオデータストリームのピクセルデータと制御構造データとを含み、前記複数のビデオデータストリームの各々の前記ピクセルデータは前記統合データストリーム内で交互に入れ替わっており、前記統合データストリームの前記制御構造データは前記フレームラインにおける前記複数のビデオデータストリームの各々の前記ピクセルデータの少なくとも１つの位置の識別情報を含む、前記ステップと、
前記フレームラインにおける前記複数のビデオデータストリームの各々の前記ピクセルデータの前記少なくとも１つの位置の前記識別情報に少なくとも部分的に基づいて、前記統合データストリームを前記複数のビデオデータストリームに分割するステップと、
を含む方法。
【請求項２９】
前記統合データストリームの前記制御構造データは、前記フレームライン内の少なくとも１つの位置にゼロまたはヌル値を含み、前記方法はさらに、前記フレームラインのゼロまたはヌル値を無視するステップを含む請求項２８に記載の方法。
【請求項３０】
前記統合データストリームのデータアイランドを前記複数のビデオデータストリームに分割するステップをさらに含む請求項２８に記載の方法。
【請求項３１】
プロセッサによって実行されることにより、前記プロセッサに、
第１のビデオデータストリームのピクセルデータ及びクロックをバッファに記憶するステップと、
第２のビデオデータストリームの繰り返しピクセルを除去するステップと、
フレームラインにおいて前記第１のビデオデータストリームの前記ピクセルデータを前記第２のビデオデータストリームのピクセルデータと結合することにより、制御構造データを含む統合データストリームを生成するステップと、
を含む動作を実行させるための指示シーケンスを表わすデータを記憶する非一時的なコンピュータ可読記憶媒体であって、
前記第１のビデオデータストリームの前記ピクセルデータと前記第２のビデオデータストリームの前記ピクセルデータが、前記統合データストリーム内で交互に入れ替わっており、
前記第１のビデオデータストリームの前記ピクセルデータと前記第２のビデオデータストリームの前記ピクセルデータが、フレームラインに配置されており、
前記統合データストリームの前記制御構造データが、前記フレームラインにおける前記第１のビデオデータストリームの前記ピクセルデータの少なくとも１つの第１の位置の識別情報と、前記フレームラインにおける前記第２のビデオデータストリームの前記ピクセルデータの少なくとも１つの第２の位置の識別情報と、を含む、
非一時的なコンピュータ可読記憶媒体。
【請求項３２】
プロセッサによって実行されることにより、前記プロセッサに、
統合データストリームを受信するステップであって、前記統合データストリームはフレームライン内の複数のビデオデータストリームのピクセルデータと制御構造データとを含み、前記複数のビデオデータストリームの各々の前記ピクセルデータは前記統合データストリーム内で交互に入れ替わっており、前記統合データストリームの制御構造データは前記フレームラインにおける前記複数のビデオデータストリームの各々の前記ピクセルデータの少なくとも１つの位置の識別情報を含む、前記ステップと、
前記フレームラインにおける前記複数のビデオデータストリームの各々の前記ピクセルデータの前記少なくとも１つの位置の前記識別情報に少なくとも部分的に基づいて、前記統合データストリームを前記複数のビデオデータストリームに分割するステップと、
を含む動作を実行させるための指示シーケンスを表すデータを記憶する非一時的なコンピュータ可読記憶媒体。
【請求項３３】
前記第２のビデオデータストリームは、オリジナルのビデオストリームのピクセル値と、前記オリジナルのビデオストリームの繰り返しバージョンに対応する前記ピクセル値の繰り返し複製とを含み、
前記マルチプレクサは、前記オリジナルのビデオストリームの繰り返しバージョンに対応する前記ピクセル値の前記繰り返し複製を除去することによって、前記第２のビデオデータストリームの前記繰り返しピクセルを除去する請求項１に記載の装置。